(57)【特許請求の範囲】
【請求項１】
洋式便座に着座した使用者が前傾姿勢となるように、
前記洋式便座の座部が洋式便器本体の上面に対して前方方向に下り傾斜していると共に、前記洋式便器本体の上面に対して左右方向に直線状若しくは曲線状に移動可能とする機能および前記洋式便器本体の上面に対して往復円運動可能とする機能の少なくとも一方の機能を備えた排便促進洋式便座又は排便促進洋式座部。
【請求項２】
洋式便座に着座した使用者が前傾姿勢となるように、
前記洋式便座の座部が洋式便器本体の上面に対して前方方向に下り傾斜とするために前記座部の高さを変動し傾き角度を変化可能とする機能と共に、前記洋式便器本体の上面に対して左右方向に直線状若しくは曲線状に移動可能とする機能、前記洋式便器本体の上面に対して往復円運動可能とする機能および前記洋式便器本体の上面に対して前記座部を洋式便器の左右方向にてシーソー運動を可能とする機能の少なくとも一方の機能を備えた排便促進洋式便座又は排便促進洋式座部。
【請求項３】
前記座部の左右方向に直線状若しくは曲線状に移動可能な範囲は前後方向または左右方向に―４ｃｍから＋４ｃｍの範囲であり、円運動に於いては直径６ｃｍ以内の範囲であることを特徴とする請求項１または請求項２記載の排便促進洋式便座又は排便促進洋式座部。
【請求項４】
前記座部のシーソー運動する角度は−２５度から＋２５度の範囲であることを特徴とする請求項２記載の排便促進洋式便座又は排便促進洋式座部。
【請求項５】
前記座部の往復円運動する角度は−２０度から＋２０度の範囲であることを特徴とする請求項１または請求項２記載の排便促進洋式便座又は排便促進洋式座部。
【発明の詳細な説明】
【技術分野】
【０００１】本発明は、排便を促進させるための洋式便座および洋式座部に関する。
【背景技術】
【０００２】日本固有の和式トイレは、しゃがみ込むことで直腸と肛門が直線的となること、および太ももで下腹部を圧迫するために腹圧を上げることができるため排便が楽であるが現在では殆ど採用されなくなった。この理由として、用を足した後の立ち上がる際に掛かる身体的負荷や立ちくらみを生じやすいこと、並びに男性の小便時に尿が飛散しやすいため不衛生であることなどから洋式スタイルのトイレに移行している。【０００３】一方で、非特許文献１に示すように洋式スタイルのトイレの採用により排便の際に直腸と肛門が直線状若しく直線状に近い状態とならないために排便が円滑に進まず、便秘になるものが多くなっている。直腸の長さ、太さなど解剖学的にも個人差が大きく、人によっては簡単なことではない。頑固な便秘の場合には３、４種以上の内服をする場合もある。この問題を解決するために排便を円滑にするための装置として、洋式便器に足載せ台を配置する技術が提案されている。【０００４】特許文献１は、支承架が縦向きに便器の少なくとも一側に設けられ、各支承架が枢軸段と枢転構造を具え、該枢転構造は枢軸段に套設されて回転自在とされ、且つ枢転構造に足踏みパッドが固定され、伝動軸が横向きに便器の縁の後端位置に枢設され、便座が伝動軸に固定されて伝動軸の回転に伴い便器の縁上を被覆可能で、該伝動軸に連動して枢転構造と共に回転する少なくとも一つの連動機構が設けられ、便座が上げられる時に伝動軸が一体に回転して連動機構の伝動を介して枢転構造が共に回転して足踏みパッドが便器の上端の縁の上面位置に至り、足で踏んで用を足すことが可能となり、反対に便座が下ろされると足踏みパッドが反転して便器の縁より離れ、便座が座姿使用に供されるようにしてある。【０００５】特許文献２には、洋式便座に着座している使用者が足を載置可能な載置部材と、前記載置部材を待避させる待避位置と、前記洋式便座に着座している使用者の足を上げる使用位置とに、前記載置部材が移動するよう作動させる作動装置と、を備える排泄介助装置であり前記作動装置は、前記使用位置において前記載置部材に使用者が足を載置する載置面の傾き角度を変化可能となるよう構成されている。
【先行技術文献】
【特許文献】
【０００６】
【特許文献１】実用登録第３０６１４０８号公報
【特許文献２】特開２０１８−９４３１１号公報
【非特許文献】
【０００７】
【非特許文献１】槌野正裕ほか．排泄機能と姿勢に関する研究，日本ストーマー排泄会誌，２００８，Ｖｏｌ．２４，Ｐ．２４−３８
【発明の概要】
【発明が解決しようとする課題】
【０００８】上述した洋式便器に足載せ台を配置する技術では本質的に直腸と肛門を直線状若しくは直線状に近い状態にすることは難しく、また便座の前方に足載せ台が配置されることで躓きやすいなどの課題も生じる。
【課題を解決するための手段】
【０００９】上記課題に鑑み、発明者は創意工夫の結果、洋式便座の座部に着座した使用者が自然に前傾姿勢となるように洋式便座の座部を前方方向に下り傾斜させることにより排便を改善する排便促進洋式便座又は排便促進洋式座部を提供する。これにより和式トイレでの排便姿勢に近づけることが可能となり、加えて洋式トイレの着座方式となっているために身体的負荷も少ない。また、排便中に座部の揺動機能を使用することにより強制的に直腸を刺激することができるため排便が改善する。【００１０】第一の実施形態としては、洋式便座に着座した使用者が前傾姿勢となるように前記洋式便座の座部が前方方向に下り傾斜している排便促進洋式便座又は排便促進洋式座部である。尚、排便促進洋式便座とは座部だけでなく温水洗浄ノズル等の装置部品が備わる便座制御部および便蓋を備えた洋式便座を意味している。【００１１】第二の実施形態としては、洋式便座に着座した使用者が前傾姿勢となるように、前記洋式便座の座部が洋式便器本体の上面に対して前方方向に下り傾斜していると共に、前記洋式便器本体の上面に対して左右方向に直線状若しくは曲線状に移動可能とする機能および前記洋式便器本体の上面に対して往復円運動可能とする機能の少なくとも一つの機能を備えた排便促進洋式便座又は排便促進洋式座部である。【００１２】第三の実施形態としては、洋式便座に着座した使用者が前傾姿勢となるように、前記洋式便座の座部が洋式便器本体の上面に対して前方方向に下り傾斜とするために前記座部の高さを変動し傾き角度を変化可能とする機能を備えた排便促進洋式便座又は排便促進洋式座部である。【００１３】第四の実施形態としては、洋式便座に着座した使用者が前傾姿勢となるように、前記洋式便座の座部が洋式便器本体の上面に対して前方方向に下り傾斜とするために前記座部の高さを変動し傾き角度を変化可能とする機能と共に、前記洋式便器本体の上面に対して左右方向に直線状若しくは曲線状に移動可能とする機能、前記洋式便器本体の上面に対して往復円運動可能とする機能および前記洋式便器本体の上面に対して前記座部を洋式便器の左右方向にシーソー運動を可能とする機能の少なくとも一つの機能を備えた排便促進洋式便座又は排便促進洋式座部である。【００１４】第一の実施形態から第四の実施形態に於ける排便促進洋式座部については、既設の洋式便器または洋式便座の上に設置するために着脱可能な構造とし、第一の実施形態と第二の実施形態については予め排便促進洋式座部を前方方向に下り傾斜させているものであり、第三の実施形態と第四の実施形態は排便促進洋式便座の座部が洋式便器本体の上面に対して前方方向に下り傾斜とするために前記座部の高さを変動し傾き角度を変化可能とする機能を備えたものである。【００１５】第三の実施形態と第四の実施形態である排便促進洋式便座の座部または排便促進洋式座部を前方方向に下り傾斜させる機能については、手動方式または自動方式があり自動車に採用されているようなセクターギアを回動しシート座部を傾斜させる方式やリクライニングチェアに採用されているようなラチェットを使用する方式またはピストンによる座部後方部のリフトアップ方式などを採用すればよい。【００１６】前記座部を傾斜させるための駆動部は、座部内部に搭載する方式または外付け搭載する方式があり、外付け搭載する場所には洋式便器（便座）とは完全に独立させて外部に設置する方法、洋式便座に備わる温水洗浄ノズル等の装置部品および便蓋が備わる便座制御部が搭載されている空間領域に設置する方法、又はポンプや洗浄ノズル等の装置部品および制御装置が収納された一体型洋式便器の空間領域に設置する方法とがある。【００１７】排便促進洋式便座の座部または排便促進洋式座部を前方方向に下り傾斜させる機能を外付け搭載する方法の一例として、座部の下面とトイレ便器の上面の間に配置する支持板または座部内部に設置させた支持板に関節部を介してアクチュエータに連結させることで対応可能となる。例えば、前記アクチュエータとして動力シリンダーを採用した場合には該シリンダーを上昇させることで支持板と一緒に座部も上昇し関節部にて座部を傾斜させる構造となる。関節部については、座部の傾斜角度を変化させたい場合には回動可能なアクチュエータなどを使用し、傾斜角度を予め固定させるのであれば蝶番関節治具や球関節治具など屈折可能な部品を使用することで対応可能となる。【００１８】排便促進洋式便座の座部または排便促進洋式座部を前方方向に下り傾斜させる機能を温水洗浄ノズル等の装置部品および便蓋が備わる便座制御部が搭載されている空間領域に設置する方法またはポンプや洗浄ノズル等の装置部品および制御装置が収納された一体型洋式便器の空間領域に設置する方法についても上述した構造を採用すればよい。【００１９】前記座部の傾斜角度について、直腸と肛門が直線状若しくは直線に近い状態とするために１０度から４０度の範囲とするが、使用者は傾斜した座部に着座する場合に於いて態勢を安定させるために自然と前傾姿勢となるため前記座部の傾斜角度は１５度から３０度の範囲とすることが好ましい。【００２０】第二の実施形態と第四の実施形態での洋式便器本体の上面に対して座部左右方向に直線状若しくは曲線状にスライド移動又は円運動を可能とする機能について、手動方式の場合には座部を受台と上部傾斜部とに２分割し、受台の上面に備わる複数のボールローラー上に上部傾斜部を搭載させる方式やリニアパイプシャフトとスライドユニットを使用する方式にて使用者自らが尻を動かすことで対応可能となる。自動方式の場合には排便促進洋式便座の座部または排便促進洋式座部に直接または間接的にクランクシャフトを接続しモーターギアを回転させる方式などにより往復運動が対応可能となる。【００２１】前記座部の揺動幅については移動幅が大きくなると便器内部壁面への便付着が生じるために前後方向および左右方向に対する片側移動幅は−４ｃｍから＋４ｃｍの範囲、斜め方向に対する片側移動幅は−５．６ｃｍから＋５．６ｃｍの範囲とし、回転運動の場合には直径６ｃｍ以内の範囲とする。【００２２】第二の実施形態と第四の実施形態での洋式便器本体の上面に対して座部を往復円運動可能とする機能について、使用者自身が尻を振り動かす場合には上述したように座部を受台と上部傾斜部とに２分割し、受台の上面に備わる複数のボールローラー上に上部傾斜部を搭載させ、前記受台と前記上部傾斜部の後部または前部に軸受け穴を設け双方の穴に固定ピンを貫通し枢支することで対応可能となる。一方、自動方式の場合に於いては座部を前方方向に下り傾斜させる機能に使用するアクチュエータに回動可能なアクチュエータを取り付けるなどすれば対応可能となる。【００２３】前記座部を往復円運動させるための搖動角度については、座部を上昇し傾斜させた位置を基準点として−２０度から＋２０度以下の範囲とするが座部が大きく振れると便器内部壁面への便付着が生じるために好ましくは−１０度から＋１０度以下の範囲とする。【００２４】第四の実施形態での前記座部を洋式便器の左右方向にシーソー運動を可能とする機能について、第三の実施形態による座部を前方方向に下り傾斜させる機能に使用するアクチュエータに回動可能なアクチュエータを取り付ける方式や座部を前方方向に下り傾斜させるための外付け方式である座部左右に設置している動力シリンダーを使用し、左右のシリンダーの高さが異なるように相互に連続して変動させることで対応可能となる。【００２５】左右方向のシーソー運動角度については、洋式便器の上面を基準点として−２５度から＋２５度の範囲とするが老人や子供などの使用者の横転防止の観点から好ましい角度範囲は−１５度から＋１５度以下、更に好ましくは−１０度から＋１０度以下とする。【００２６】尚、上述した駆動部については単軸型アクチュエータを組み合わせて設計したものであるが多軸型アクチュエータを採用することも可能であり、また減速機やエンコーダを備えるなど任意に設計にすることが可能である。
【発明の効果】
【００２７】本発明の排便促進洋式便座により、使用者は円滑に排便を行うことが可能となり便秘症状を低減させることで、ポリファーマシー（多剤併用）の軽減の一助になるために医療費の削減にも貢献できる。
【図面の簡単な説明】
【００２８】
【図１】洋式便器を示す外観図
【図２】洋式便器に洋式便座を取り付けた状態であり、（ａ）上面図、（ｂ）側面図
【図３】第一の実施形態である排便促進洋式座部の外観図
【図４】第一の実施形態である排便促進洋式座部を洋式便座の座部に取り付けた状態であり（ａ）上面図、（ｂ）側面図
【図５】第三の実施形態である駆動部外付け式排便促進洋式便座を洋式便器に取り付けた状態であり、（ａ）上面図、（ｂ）側面図、（ｃ）正面図
【図６】図５記載の排便促進洋式便座の座部を傾斜させた状態を示す側面図
【図７】第三の実施形態である駆動部内蔵式の排便促進洋式便座を洋式便器に取り付けた状態であり（ａ）上面図、（ｂ）側面図
【図８】図７記載の排便促進洋式便座の座部を傾斜させた状態を示す側面図
【図９】図７記載の排便促進洋式便座の便座制御部の内部構造図であり、（ａ）座部を降下させた状態、（ｂ）座部を上昇させた状態
【図１０】第三の実施形態である駆動部内蔵式の排便促進洋式便座一体型洋式便器に取り付けた状態を示す側面図
【図１１】第二の実施形態である排便促進洋式座部を洋式便座に取り付けた状態を示す側面図
【図１２】排便促進洋式座部の上面傾斜部をスライド移動可能とする受台であり、（ａ）上面図、（ｂ）側面図
【図１３】前後運動可能とする上面傾斜部の下面図
【図１４】図１１記載の排便促進洋式座部の断面図
【図１５】円運動可能とする上面傾斜部の下面図
【図１６】排便促進洋式座部の上面傾斜部を往復円運動可能とする受台の上面図
【図１７】排便促進洋式座部を往復円運動させるための座部の側面図
【図１８】第四の実施形態である駆動部内蔵式の排便促進洋式便座の便座制御部の内部構造図
【発明を実施するための形態】
【００２９】  以下、図面を参照しながら、本発明の実施の形態について説明する。
【実施例】
【００３０】図１は、洋式便座を取り付けていない状態での一般的な洋式便器５００を示す外観図であり、前記洋式便器の構造は洋式便器上面ＴＯＰの後方にタンク５０が載置されており、様式便座を取り付けるための便座固定用貫通穴Ｈが備わっている。図２は洋式便器５００に洋式便座ＢＺを取り付けた状態であり（ａ）が上面図、（ｂ）は側面図を示す。洋式便座ＢＺは、温水洗浄ノズル等の部品関連および開閉自在の便蓋１５０が備わる便座制御部４００と座部１００が取り付けられ、前記座部の裏側に備わるクッションとなる台座１０を介して洋式便器上面ＴＯＰに座部１００が載せられる構造である。【００３１】図３は、本発明の第一の実施形態である排便促進洋式座部ＺＡＢ１０の外観図であり、前記排便促進洋式座部は着座した使用者が前傾姿勢となるように前方方向に角度２０度の下り傾斜面を備え、洋式便座の座部に取り付けた際に洋式便座の座部に備わる開口部に対応する位置に略同サイズの開口部を備えている。尚、図示していないが排便促進洋式座部ＺＡＢ１０の底面の外周部には洋式便座からの落下を防止するための外枠を備えている。【００３２】図４は、第一の実施形態である排便促進洋式座部ＺＡＢ１０を洋式便座ＢＺの座部に取り付けた状態であり（ａ）上面図、（ｂ）側面図を示す。これにより排便促進洋式座部ＺＡＢ１０に着座した使用者は安定姿勢を保つために前傾姿勢となり、加えて当該便座の傾斜により和式トイレでのしゃがみ込み姿勢に近づくことで直腸と肛門が直線に近づくために排便を促進する。【００３３】図５は、第三の実施形態である駆動部外付け式促進洋式便座ＢＺ１０を洋式便器５００に取り付けた状態であり、（ａ）上面図、（ｂ）側面図、（ｃ）正面図を示す。前記排便促進洋式便座は、開閉自在の便蓋１６０が取り付けられた温水洗浄ノズル等の部品関連を収納する便座制御部４１０と、裏面に台座２０が備わる支持板２００と裏面に台座２０が備わる支持板２０５により保持された座部１０５から成る独立座部と、洋式便器５００の側面の一方には電動シリンダーアクチュエータ６００と前記電動シリンダーアクチュエータのシリンダー先端部に固定されたボールジョイント７００および他方には電動シリンダーアクチュエータ６０５と前記電動シリンダーアクチュエータのシリンダー先端部に固定されたボールジョイント７０５から成る駆動部により構成されており、前記独立座部の支持板裏面と前記ボールジョイントが連結されている。【００３４】図６は、排便促進洋式便座ＢＺ１０の座部を傾斜させた状態を示す側面図である。洋式便器５００の側面の電動シリンダーアクチュエータ６００と対面側にある電動シリンダーアクチュエータ６０５のシリンダーを同期して任意の高さまで上昇させることでボールジョイント７００と対面側にあるボールジョイント７０５にて独立座部が傾斜する構造としている。【００３５】図７は、第三の実施形態である駆動部内蔵式の排便促進洋式便座ＢＺ２０を洋式便器５００に取り付けた状態であり（ａ）上面図、（ｂ）側面図を示す。排便促進洋式便座ＢＺ２０は、開閉自在の便蓋１７０が取り付けられた温水洗浄ノズル等の部品を収納する便座制御部４２０に内蔵した駆動部と、座部１１０と裏面に台座３０が備わる支持板２１０から成る独立座部により構成されている。図８は、排便促進洋式便座ＢＺ２０の座部を傾斜させた状態を示す側面図であり、図９は、排便促進洋式便座ＢＺ２０の便座制御部の内部構造図であり（ａ）が座部を降下させた状態、（ｂ）は座部を上昇させた状態を示す。便座制御部１４０の内部には、駆動部内蔵式として支持板２１０を傾斜させるための回動可能なアクチュエータ８００が電動シリンダーアクチュエータ６１０のシリンダー先端部に連結されている。【００３６】図１０は、第三の実施形態である駆動部内蔵式の排便促進洋式便座一体型洋式便器に取り付けた状態を示す側面図である。排便促進洋式便座一体型洋式便器の排便促進洋式便座ＢＺ３０は、ポンプや洗浄ノズル等の装置部品および制御装置を収納する一体型洋式便器５５０に内蔵した駆動部と、座部１２０の内部に支持板２２０が備わる独立座部から構成されている。前記駆動部は座部１２０を上昇させるための電動シリンダーアクチュエータ６２０と座部１２０を傾斜させるために前記電動シリンダーアクチュエータのシリンダー先端部に支持板２２０が取り付けられた回動可能なアクチュエータ８１０に連結されている。【００３７】図１１は、第二の実施形態である排便促進洋式座部ＺＡＢ２０であり、排便促進洋式座部ＺＡＢ２０は二分割構造となっており上面傾斜部９００Ａと上面傾斜部をスライド移動可能とする受台９００Ｂから構成されている。【００３８】図１２は、上面傾斜部をスライド移動可能とする受台９００Ｂであり、（ａ）上面図、（ｂ）側面図を示す。受台９００Ｂの上面には外径２ｃｍ、内径１．４ｃｍ、高さが０．６ｃｍの円形状を有する枠体９７０が備わり、当該枠内には直径１ｃｍの球体９８０を置いている。【００３９】図１３は、前後運動可能とする上面傾斜部９００Ａの下面図であり短い方の長さが２．５ｃｍ、長い方の長さが６ｃｍ、深さ０．６ｃｍの直方体形状を有する凹部９２０を備えている。図１４は、図１１記載の排便促進洋式座部の断面図であり、球体９８０の上に上面傾斜部９００Ａの下面に備わる直方体の凹部９２０の底面が載るために上面傾斜部９００Ａは凹部９２０の長い方の長さ方向に対する前後往復運動が可能となる。【００４０】図１５は、円運動可能とする上面傾斜部９００Ｃの下面図であり直径６ｃｍ、深さ０．６ｃｍの円柱形状を有する凹部９３０を備えている。これにより上面傾斜部をスライド移動可能とする受台９００Ｂに載せることで円運動が可能となるだけでなく直線状および曲線上の移動も可能である。【００４１】図１６は、排便促進洋式座部の上面傾斜部を往復円運動可能とする受台９００Ｄの上面図であり後方部に貫通穴を具備する凸部９１０が具備されており、円形状を有する枠体９７０の代わりにボールローラー９６５を取り付けたものである。図１７は、排便促進洋式座部を往復円運動させるための座部の側面図であり、受台９００Ｄの貫通孔を具備する凸部９１０と対面する位置に貫通孔を具備する凸部を備えた上面傾斜部９００Ｅがボールローラー９６５を介して搭載されており、受台９００Ｄの貫通孔と上面傾斜部の凸部に具備された貫通孔はボルト９９０により枢支されているため往復円運動が可能となる。【００４２】図１８は、第四の実施形態である駆動部内蔵式の排便促進洋式便座ＺＢ３０の便座制御部の内部構造図であり、排便促進洋式便座ＺＢ３０は裏面に台座４０が備わる支持板２３０に保持された座部１３０から成る独立座部と、温水洗浄ノズル等の部品関連を収納する便座制御部４３０の内部に支持板２３０を傾斜させるための回動可能なアクチュエータ８２０に支持板２３０をシーソー運動させる回動可能なアクチュエータ８３０が連結されている構造である。これにより座部の傾斜角度変化とシーソー運動が可能となる。尚、アクチュエータ８３０の代わりに電動シリンダーアクチュエータに変換すれば連結すれば座部の前後往復運動が可能となる。【００４３】第三の実施形態である駆動部外付け式排便促進洋式便座ＢＺ１０にて２台の電動シリンダーアクチュエータの高さを経時的に変動させることで独立座部を左右方向にシーソー運動することも可能となる。具体的には、第一の電動シリンダーアクチュエータと第二の電動シリンダーアクチュエータのシリンダーを基準となる高さまで上昇させた状態で第二のシリンダーを所定の位置まで降下させた後に第二のシリンダーを基準となる高さまで上昇・停止させ、次に第一のシリンダーを前記同様に降下・上昇・停止させる運動を繰り返えせばよい。尚、この一連の運動は予めプログラミングさせておけばよい。【００４４】尚、本発明の排便促進洋式便座又は排便促進洋式座部を電動駆動させる場合に於いては、図示していないがリモートコントローラにて操作させることも可能である。
【符号の説明】
【００４５】１０        台座
２０        台座
３０        台座
４０        台座
５０        タンク
１００      座部
１０５      座部
１１０      座部
１２０      座部
１３０      座部
１５０      便蓋
１６０      便蓋
１７０      便蓋
２００      支持板
２０５      支持板
２１０      支持板
２２０      支持板
２３０      支持板
４００      便座制御部
４１０      便座制御部
４２０      便座制御部
４３０      便座制御部
５００      洋式便器
５５０      一体型洋式便器
６００      電動シリンダーアクチュエータ
６０５      電動シリンダーアクチュエータ
６１０      電動シリンダーアクチュエータ
６２０      電動シリンダーアクチュエータ
７００      ボールジョイント
７０５      ボールジョイント
８００      回動可能なアクチュエータ
８１０      回動可能なアクチュエータ
８２０      回動可能なアクチュエータ
８３０      回動可能なアクチュエータ
９００Ａ    上面傾斜部
９００Ｂ    上面傾斜部をスライド移動可能とする受台
９００Ｃ    円運動を可能とする上面傾斜部
９００Ｄ    往復円運動を可能とする上面傾斜部
９００Ｅ    受台の貫通孔を具備する凸部と対面する位置に貫通孔を具備する凸部を備え            た上面傾斜部
９１０      貫通穴を具備する凸部
９２０      直方体形状を有する凹部
９３０      円柱形状を有する凹部
９６５      ボールローラー
９７０      円形状を有する枠体
９８０      球体
９９０      ボルト
Ｈ          便座固定用貫通穴
ＢＺ        洋式便座
ＢＺ１０    第三の実施形態である駆動部外付け式排便促進洋式便座
ＢＺ２０    第三の実施形態である駆動部内蔵式排便促進洋式便座
ＢＺ３０    第排便促進洋式便座一体型洋式便器の排便促進洋式便座
ＴＯＰ      洋式便器上面
ＺＡＢ１０  第一の実施形態である排便促進洋式座部
ＺＡＢ２０  第二の実施形態である排便促進洋式座部
【図１】
0006948539.tif 000002
【図２】
0006948539.tif 000003
【図３】
0006948539.tif 000004
【図４】
0006948539.tif 000005
【図５】
0006948539.tif 000006
【図６】
0006948539.tif 000007
【図７】
0006948539.tif 000008
【図８】
0006948539.tif 000009
【図９】
0006948539.tif 000010
【図１０】
0006948539.tif 000011
【図１１】
0006948539.tif 000012
【図１２】
0006948539.tif 000013
【図１３】
0006948539.tif 000014
【図１４】
0006948539.tif 000015
【図１５】
0006948539.tif 000016
【図１６】
0006948539.tif 000017
【図１７】
0006948539.tif 000018
【図１８】
0006948539.tif 000019